(57)【要約】【課題】  貯湯式給湯装置のさらなる利便性を追求し、冷水の出水や、ないしはその時の給水温以下の温度の給水もできるようにする。【解決手段】  給水加熱装置２が給水を湧かすためにその一方で冷熱を放出する貯湯式給湯装置において、給水Wfを受ける冷水貯蔵タンク５を設け、この冷水貯蔵タンク５内の水を吸出口53から吸い出して戻し口54からまた冷水貯蔵タンク５に戻す冷水用循環回路55の一部を給水加熱装置２が放出する冷熱と熱交換する冷却用熱交換器に通し、吸出口53から吸い出した水を冷却して戻し口54から冷水貯蔵タンク５に戻すようにする。戻し口54から戻された冷水貯蔵タンク５内の冷水を出水する冷出水配管65を設ける。この冷出水配管65の出口に、使用者が冷水を使用できる冷水出力口73を設ける。【選択図】  図１
2005265319.tif 000002
【特許請求の範囲】
【請求項１】
電力によって給水加熱装置を稼動させ、制御装置により指令された目標蓄熱量になるまで給水を沸かして貯湯タンク内に貯め置き、使用者による出湯ないし暖房に該貯め置いた湯を利用させると共に、該給水加熱装置が上記給水を湧かすためにその一方で冷熱を放出する貯湯式給湯装置であって；
給水を受ける冷水貯蔵タンクと、該冷水貯蔵タンク内の水を吸出口から吸い出し、戻し口から該冷水貯蔵タンクに戻す冷水用循環回路とを設け；
該冷水用循環回路の一部を上記給水加熱装置が放出する上記冷熱と熱交換する冷却用熱交換器に通し、上記吸出口から吸い出した水を冷却して上記戻し口から上記冷水貯蔵タンクに戻すようにすると共に；
該戻し口から戻された該冷水貯蔵タンク内の冷水を出水する冷出水配管を設け；
該冷出水配管の出口に使用者が冷水を使用できる冷水出力口を設けたこと；
を特徴とする貯湯式給湯装置。
【請求項２】
請求項１記載の貯湯式給湯装置であって；
上記冷出水配管途中には混合弁が設けられ、上記給水と混合することで上記冷水出力口から出力される冷水の温度を該給水の温度以下の温度範囲で調整すること；
を特徴とする貯湯式給湯装置。
【請求項３】
請求項１記載の貯湯式給湯装置であって；
上記冷出水配管は上記貯湯タンクに貯め置かれた湯の出湯口に接続し、もって上記冷水出力口は該出湯口が兼ねていること；
を特徴とする貯湯式給湯装置。
【請求項４】
請求項１記載の貯湯式給湯装置であって；
上記冷水貯蔵タンクには該冷水貯蔵タンクから出て該冷水貯蔵タンクに戻る冷房用循環回路も接続されており；
該冷房用循環回路途中に外部に冷熱を与える熱交換器が設けられていること；
を特徴とする貯湯式給湯装置。
【発明の詳細な説明】
【技術分野】
【０００１】
本発明は、電力によってヒートポンプユニット等の給水加熱装置を稼動させ、制御装置により指令された目標蓄熱量になるまで給水を加熱して貯湯タンク内に貯め置く貯湯式給湯装置に関し、特に給水加熱装置が外部に放出する冷熱をも有効利用する貯湯式給湯装置に関する。
【背景技術】
【０００２】
従来から、電力稼動のヒートポンプユニットで加熱した高温の湯を貯湯タンク内に貯える貯湯式給湯装置がある。特にこのタイプの給湯装置として、貯湯タンク内の最下部の水をヒートポンプユニットにより加熱し、高温の湯として貯湯タンク内の最上部に送ることで、温度の異なる水の比重差を利用し、貯湯タンク内の上部側に高温の湯を貯え、貯湯タンク内の下部側の水と混合しないようにしているものが知られている。また、貯湯タンク内の湯を出力する（例えば、蛇口等を開き貯湯タンク外で湯を消費する）場合には、貯湯タンクの最上部に接続した出湯配管から給湯し、貯湯タンクの最下部に接続した給水配管から貯湯タンク内に水を供給するようになっている。
【０００３】
こうした貯湯式給湯装置はまた、一般に暖房熱源としての機能も有することが普通で、例えば貯湯タンク内の高温の湯を貯湯タンク外に循環し、床暖房や浴室暖房、室内送風暖房等の熱源として利用してから再び貯湯タンクに戻すようになっている。当然、こうした暖房を行う場合、暖房により蓄熱していた熱が使用され、すなわちタンク内の蓄熱量はその分低下する。
【０００４】
しかるに、給水加熱装置には商用電力を供給するので、なるべく深夜電力を利用し、電力料金の安い深夜時間帯（現在の所、23時から翌日7時まで)で蓄熱を行い、料金の高い昼間の時間帯には極力蓄熱を行わないように、その日に使用する熱量を当該深夜時間帯で蓄熱しておくように工夫されているものが多い。そのためには当然、深夜時間帯の以降の翌日に使用される熱量を予測する必要があり、従来からも、蓄熱量は一定期間の日毎の給湯による使用熱量により平均化し、要すればこれに若干の増し分を加えて給湯に使用する熱量とし、これと暖房に使用した熱量（これも一定期間の日毎の給湯による使用熱量により平均化し、要すれば若干の増し分を加える）とを足し込んで目標蓄熱量とし、深夜時間帯にこの分の蓄熱を図るようにしていた。
【０００５】
一方で、このようにかなりな電力消費を伴う貯湯式給湯装置をさらに活用するため、給水加熱装置が給水を過熱するためには逆に、冷熱を外部放出せねばならないことに鑑み、例えば下記特許文献１に認められるように、そうした冷熱を冷房にも使用しようとする試みも見られた。
【特許文献１】特開平06-159845号公報
【発明の開示】
【発明が解決しようとする課題】
【０００６】
上述のように、冷房機能も有する貯湯式給湯装置は、上記特許文献１の他にも種々、検討されたものがあり、給水加熱装置における無駄なエネルギ消費を幾分でも有効利用するということで好ましいことではあった。しかし、従来のいずれの装置構成を見ても、冷水をまで、使用者に供給できるものはなく、また、通常は例えば35℃以上で１℃ステップとか数℃ステップで上限値（例えば60℃）までの範囲内において使用者が設定した任意の温度の湯を給湯できるようにはなっていても、沸かした湯と冷水とを混合することで、例えば５℃とか10℃等々、例えそのときの給水（一般に水道水）の温度以下の範囲でも、任意所望の温度の給水を行えるようなものは無かった。特に夏場にこのような温度の給水が行い得れば、その利便性は極めて高い。
【０００７】
本発明はまさしくこの点に鑑みてなされたもので、貯湯式給湯装置のさらなる利便性を追求し、冷水の出水や、ないしはその時の給水温以下の任意所望の温度の給水もできるようにした貯湯式給湯装置を提供せんとするものである。
【課題を解決するための手段】
【０００８】
本発明は上記目的を達成するために、
電力によって給水加熱装置を稼動させ、制御装置により指令された目標蓄熱量になるまで給水を沸かして貯湯タンク内に貯め置き、使用者による出湯ないし暖房にこの貯め置いた湯を利用させると共に、給水加熱装置が給水を湧かすためにその一方で冷熱を放出する貯湯式給湯装置であって；
給水を受ける冷水貯蔵タンクと、この冷水貯蔵タンク内の水を吸出口から吸い出して戻し口からまた冷水貯蔵タンクに戻す冷水用循環回路とを設け；
この冷水用循環回路の一部を給水加熱装置が放出する冷熱と熱交換する冷却用熱交換器に通し、吸出口から吸い出した水を冷却して戻し口から冷水貯蔵タンクに戻すようにすると共に；
戻し口から戻された冷水貯蔵タンク内の冷水を出水する冷出水配管を設け；
この冷出水配管の出口に使用者が冷水を使用できる冷水出力口を設けた貯湯式給湯装置を提案する。
【０００９】
本発明はまた、上記の基本構成を満たした上で、冷出水配管の途中には混合弁が設けられ、給水と混合することで、冷水出力口から出力される冷水の温度を給水の温度以下の温度範囲で調整できる貯湯式給湯装置も提案する。なお、冷水出力口は独立に備えられていてももちろん良いが、冷出水配管が貯湯タンクに貯め置かれた湯の出湯口に接続し、もって冷水出力口は出湯口が兼ねるようになっていても良い。もちろん、冷房機能も併せ有していて良く、冷水貯蔵タンクには冷水貯蔵タンクから出て冷水貯蔵タンクに戻る冷房用循環回路も接続し、この循環回路途中に外部に冷熱を与える熱交換器を設けて、これを介して冷房をなすようにしても良い。
【発明の効果】
【００１０】
本発明によると、貯湯式給湯装置の付属機能としても、これまで一切、認められなかった新たな機能として、冷水を使用者に提供できる。これは夏場等には極めて便利な機能ともなる。細く流すことでビール缶やスイカを雰囲気良く冷やしたり、来客にもとりあえず冷たい水を出す等と言うことが可能となる。また、不意の発熱で頭を冷やす時などにも、タオルを濡らすのに好適である。さらに、本発明の特定の態様に従えば、給水の温度以下の範囲でも所望の温度の水が得られるようになるので、これも便利に使うことができる。いずれにしても、従来は電力稼動型給水加熱装置から無駄に放出されていた冷熱エネルギを有効利用した一形態として、本発明はこの種の貯湯式給湯装置に新たな可能性を与えるものである。
【発明を実施するための最良の形態】
【００１１】
図１には本発明を適用して構成された貯湯式給湯装置の一構成例が示されている。まずは既存構成で良い所から説明を始めるに、貯湯タンク１は通常、耐食性に優れた金属（例えばステンレス）で造られており、外周部に図示しない断熱材が配置されていて、高温の給湯用水を長時間に亘って保温可能となっている。貯湯タンク１は一般に縦長形状で、その底面には導入口11が設けられ、この導入口11には貯湯タンク１内の最下部に給水（一般に水道水）Wfを導入するための給水配管12が接続されている。
【００１２】
給水配管12には給水温度検出手段である給水サーミスタ31が設けられており、当該給水配管12内の温度情報を制御装置３に出力するようになっている。そして、給水配管12の給水サーミスタ31が設けられた位置より下流側には、導入管12を分岐して後述する混合弁16に接続するバイパス配管15と、後述する冷水貯蔵タンク５に給水するための分岐管51が接続している。
【００１３】
貯湯タンク１の最上部には導出口13が設けられ、この導出口13には貯湯タンク１内の湯を導出するための給湯経路である導出管14が接続されている。そして、この経路途中に設けられている混合弁16は、開口面積比を調節することにより、導出管14からの湯とバイパス配管15から供給される水道水Wfとの混合比を調節できるようになっている。一般にこの混合弁16はサーボモータ等の駆動源（図示せず）により弁体を駆動して各経路の開度を調節する電動弁であり、制御装置３からの制御信号により作動すると共に、作動状態を制御装置３に帰還するようにもなっている。
【００１４】
混合弁16の出口側には蛇口、シャワー、風呂等の出湯口73への混合湯経路である出湯配管17が接続し、この配管17には出湯温度検出手段である出湯サーミスタ71と出湯量検出手段である流量カウンタ72が設けられており、出湯サーミスタ71は配管17内の温度情報を、流量カウンタ72は配管17内の流量情報を制御装置３に出力するようになっている。出湯配管17には本発明の一実施形態に即し、冷出水配管65の出口も接続されているが、これについては後述する。
【００１５】
貯湯タンク１の下部には、貯湯タンク１内の最下部の水を吸入するための吸入口18が設けられ、貯湯タンク１の上部側には貯湯タンク１内の最上部に向けて湯を吐出するための吐出口19が設けられている。吸入口18と吐出口19とは循環回路30（本実施形態における便宜上、これを第一循環回路30とも呼称する）で接続されており、この循環回路30の一部は制御装置３により制御される給水加熱装置２、一般にヒートポンプユニット２内に配置されている。
【００１６】
第一循環回路30のヒートポンプユニット２内に配置された部分には、図２に示すような加熱用熱交換器22が設けられており、コンプレッサ21により圧縮されることで高温となった冷媒、望ましくは二酸化炭素冷媒との熱交換により吸入口18から吸入した貯湯タンク１内の水を加熱し、吐出口19から再び貯湯タンク１内に戻すことにより、貯湯タンク１内の水を沸かし上げるようになっている。ヒートポンプユニット２の冷媒に二酸化炭素を採用すると、超臨界域を用いることでコンプレッサ21からの冷媒吐出温度を高くすることができ、フロン冷媒等を採用した場合よりも高温の湯を効率良く沸かし上げることができる。なお、ヒートポンプユニット２により加熱された湯は、バイパス三方弁33を介し、必要に応じては吸入口18側にも湯を戻せるようになっている。
【００１７】
貯湯タンク１の外壁面には複数の（本実施形態では六つの）水位サーミスタTh01〜Th06が縦方向（貯湯タンク１の高さ方向）にほぼ等間隔に配置され、貯湯タンク１内に満たされた水の各水位レベルでの温度情報を制御装置３に出力するようになっている。従って制御装置３は、各水位サーミスタからの温度情報に基づき、貯湯タンク１内上方の沸き上げられた湯と貯湯タンク１内下方の沸き上げられる前の水との境界位置を検出できる。
【００１８】
なお、貯湯タンク１の最上部外壁面に設けられている水位サーミスタTh01は、導出口13や後述する吸入口41から外部に向けて出力される湯の温度である貯湯タンク１内最上部の水温を検出するタンク出力湯温サーミスタの機能も有している。
【００１９】
貯湯タンク１の上部に上述の吸入口41があるのに加え、貯湯タンク１の下部には、貯湯タンク１内に湯を吐出する吐出口42が設けられていて、これら吸入口41と吐出口42とは循環回路43（便宜上、この実施形態では第二循環回路43と呼称することもある）で接続されており、この循環回路43の一部は熱交換手段である熱交換器81内に配置されている。熱交換器81は例えば対向流型の熱交換器であり、第二循環回路43を流れる高温の湯と後述する第三の循環回路となる循環回路82を流れる被加熱流体である熱媒体（例えば水）とを熱交換できるようになっている。
【００２０】
第二循環回路43の熱交換器81が設けられた部位より下流側には、当該循環回路43内に湯を循環するためのウォータポンプ47と、循環湯温検出手段であるサーミスタ48が設けられていて、このサーミスタ48は、第二循環回路43内の熱交換器81による熱交換後の湯の温度情報を制御装置３に出力するようになっている。
【００２１】
上述した第三循環回路82中には、例えば浴室暖房熱交換器ユニット、床暖房熱交換器ユニット、室内送風機等の外部熱放出機器83が設けられており、熱交換器81で加熱された被加熱流体で暖房が行なえるようになっている。この第三の循環回路82中にも、当該循環回路82中に熱媒体を循環させるウォータポンプ84が設けられ、また、循環回路82の熱交換器81の入口近傍および出口近傍にはサーミスタ85，86が配設され、循環回路82内において熱交換器81に流入する熱媒体および熱交換器81から流出する熱媒体の温度情報を制御装置３に出力するようになっている。
【００２２】
制御装置３は、これまで述べてきた各サーミスタや流量カウンタ72からの出湯流量情報に加え、ヒートポンプユニット２等に備えられている外気温検出手段である外気温サーミスタ32からの情報を受け、また、図示しない操作盤に設けられた操作スイッチからの信号等に基づいて、ヒートポンプユニット２、混合弁16、ウォータポンプ47，84等を制御するように構成されている。なお、図示しない操作盤は、一般には浴室内や台所等、使用者が湯を使用する場所の近傍に設置され、操作盤以外は屋外等の適所に設置されるのが普通である。
【００２３】
さて、給湯装置の図示しない電源スイッチがオンにされている場合には、制御装置３は貯湯タンク１に設けられた各サーミスタからの温度情報等や、図示しない操作盤により設定された時刻情報等に基づいて、適宜にヒートポンプユニット２を作動させ、貯湯タンク１内の水を加熱して高温の湯（例えば90℃の湯）まで沸かし上げる。ヒートポンプユニット２等、適当な箇所には、上述のように外気の温度を検出する外気温サーミスタ32も設けられており、気温低下による第一循環回路30の凍結を防止すべく、上述のバイパス三方弁33を吸入口18側に切り換えることで、ヒートポンプ２内のポンプ（図示せず）を駆動し、凍結防止運転を行うこともできる。
【００２４】
図示しない操作盤に備えられている床暖房スイッチ等、種々の暖房スイッチがオンとされた場合（暖房予約タイマによってスイッチがオンとされた場合を含む）には、制御装置３はウォータポンプ47，84を作動し、貯湯タンク１内の最上部より吸入口41から第二循環回路43内に高温の湯を吸入するとともに、第三循環回路82内に熱媒体を循環させる。
【００２５】
これにより、熱交換器81において第二循環回路43を流れる高温の湯と熱交換された第三循環回路82内の熱媒体により、例えば床暖房熱交換器ユニット83を介して床暖房を行なう等、暖房機能を呈することができる。このとき制御装置３は、水位サーミスタ31、サーミスタ48，85，86等の温度情報に基づき、熱交換器81および床暖房熱交換器ユニット83における熱交換が良好に行なわれるように、ウォータポンプ47，84の作動を制御する。
【００２６】
また、流量カウンタ72が出湯配管17内の水（湯）の流れを検出したときには、出湯口73を介して使用者が湯が使用したと言うことである。そこでこのとき、制御装置３はそのときの設定温度に応じ、給水サーミスタ31、水位サーミスタTh01および出湯サーミスタ71からの温度情報に基づき、混合弁16の開口面積比制御を行なって、設定温度になるべく近い温度の湯が出湯されるように図る。すなわち、設定温度が水位サーミスタTh01の検出温度以下である場合には、制御装置３は、まず混合弁16をバイパス配管15と配管17とを連通状態とすると共に配管14方向を遮断状態とし、次に給水サーミスタ31の検出温度と水位サーミスタTh01の検出温度とから混合弁16の開口面積比を概略調節し、その後出湯サーミスタ71からの温度情報に基づいて給湯温度が設定温度となるように混合弁16の開口面積比を微細に制御する。
【００２７】
貯湯式給湯装置の本来の給湯、暖房機能に関する基本的な制御形態はこうしたものであるが、以下では本発明に従う冷水の出水機能や、要すれば併用される冷房機能に就き、説明する。
【００２８】
ます、給水wfを上述した分岐管51を介して望ましくは上部に設けられた吐出口58から受ける冷水貯蔵タンク５がある。この冷水貯蔵タンク５もまた、保温構造となっていることが望ましい。分岐管51には、必要に応じ、冷水出水機能を全く利用しない場合には、この中を通る水を完全に遮断できる開閉弁68も設けられる。冷水貯蔵タンク５の望ましくは上部には当該タンク５内の水を吸い出す吸出口53があり、望ましくはタンク下部には戻し口54があって、これら吸出口53と戻し口54とは第四循環回路である冷水用循環回路55で接続されている。
【００２９】
冷水用循環回路55の一部は、給水加熱装置であるヒートポンプ２内を通っており、当該ヒートポンプ２内には本発明に従い、ヒートポンプ２が発生する冷熱を冷水用循環回路55内の水に伝える冷却用熱交換器24が設けられている。すなわち、冷媒循環路27中のコンプレッサ21により圧縮、加熱されて、熱交換器22を介し、その熱で第一循環回路30内の水を既述のように加熱する二酸化炭素等の冷媒を膨張弁23で膨張させた時に発生する冷熱を、通常は単にファン26等により大気中に放散させていたのに対し、本発明ではここに冷却用熱交換器24を介在させ、冷水貯蔵タンク５から吸い出した水を冷却して戻し口54から当該冷水貯蔵タンク５に戻すようになっている。
【００３０】
戻し口54から戻されてきた冷水貯蔵タンク５内の冷水は、望ましくはタンク５の下部に設けられている吐出口61から冷出水配管65に出力される。この冷出水配管65の出口は、そのまま専用の冷出水口に接続し、これをたとえば通常の蛇口形態として、これを捻ればそのまま冷水が使用者に提供されるように構成しても良いが、この実施形態では、出力される冷水と、バイパス配管15をさらに分岐する分岐管67を介する等して得る給水Wfとを先に説明した給湯用の混合弁16と同様の構成で良い、制御装置３によりその混合比を制御可能な混合弁62で混合できるようにしてから、出湯用の蛇口73を共用として、これを冷出水口73としている。ただ、やはり、冷出水口は、それ専用とした方が使い易いことが多いことも考えられる。
【００３１】
冷出水配管65には、混合弁62を出た辺りに、出水される冷水の温度を検出する冷出水温センサとしての冷出水サーミスタ63と、出力される冷出水の流量を検出する冷出水流量カウンタ（センサ）64が備えられており、これらの検出情報は制御装置３に与えられる。
【００３２】
また、冷水貯蔵タンク５の外壁面にも、複数の（本実施形態では六つの）水位サーミスタTh11〜Th16が縦方向にほぼ等間隔に配置され、タンク５内に満たされた水の各水位レベルでの温度情報を制御装置３に出力するようになっている。従って制御装置３は、各水位サーミスタからの温度情報に基づき、冷水貯蔵タンク５内下方の冷やされた水と、給水されたままの水との境界位置を検出できる。特に、タンク５の最下部に設けられている水位サーミスタTH16は、吐出口61から出力されるタンク出力冷水の温度を検出するセンサとしても機能する。
【００３３】
こうした構成において、流量カウンタ64が冷出水配管65内の冷水の流れを検出したときには、蛇口73を介して使用者が冷水を使用したと看做すことができる。そこでこのとき制御装置３は、図示しない操作盤等を介して使用者により予め設定されているそのときの冷水設定温度に応じ、給水サーミスタ31、水位サーミスタTh16および冷出水サーミスタ63からの温度情報に基づき、混合弁62の開口面積比制御を行なって、設定温度になるべく近い温度の冷水が出力されるように図る。すなわち、設定温度が水位サーミスタTh16の検出温度以上である場合には、制御装置３は、まず混合弁62をバイパス配管67と冷出水口73とを連通状態とすると共に、冷出水配管65方向を遮断状態とし、次に給水サーミスタ31の検出温度と水位サーミスタTh16の検出温度とから混合弁16の開口面積比を疎調節し、その後冷出水サーミスタ63からの温度情報に基づいて冷出水温度が設定温度となるように混合弁62の開口面積比を微細に制御する。
【００３４】
本発明では、こうした混合弁62を設けることで、今までに無かった機能として、冷水出力口73から出力される冷水の温度を給水Wfの温度以下の温度範囲でも調整することができる。これまでは出湯温度調整が例えば35℃以上で１ ℃ステップとか数℃ステップ等、いずれにしても給水Wfの温度以上での任意温度出力は可能であっても、給水Wfの温度以下の水を供給できるものはなかった。先にも述べたように、これは極めて便利な機能であり、使用者の利便性を大いに高めるものである。
【００３５】
この実施形態の貯湯式給湯装置は、冷房機能も発揮できるようになっている。冷水貯蔵タンク５には冷水貯蔵タンクの望ましくは下方に設けられている吸入口56から吸引した冷水を冷水貯蔵タンク５の望ましくは上部に設けられている吐出口57を介して当該タンク５に戻す第五循環回路である冷房用循環回路58も接続されており、その回路途中に外部に冷熱を与える熱交換器81が設けられている。図示実施形態では、この熱交換器81は暖房用に用いた既述の熱交換器81で兼用されているが、もちろん、専用のものであっても良い。この冷房用循環回路58にも、制御装置３の指令の下、内部に冷水を循環させるためのウォータポンプ59と、当該循環回路58内の冷水を熱交換器81の出口側で検出し、制御装置３に検出した温度情報を送る循環冷水温検出センサとしての循環冷水サーミスタ66が備えられている。
【００３６】
熱交換器81には、ここでは暖房用の第三循環回路82と同じ循環回路で良い冷房用の第六循環回路82が通されており、ウォータポンプ84で循環される内部熱媒（例えば水で良い）は、ここで冷房用循環回路58中の冷水と熱交換して冷やされる。
【００３７】
ここで、図示しない操作盤に備えられている冷房スイッチがオンとされると（冷房予約タイマによってスイッチがオンとされた場合を含む）、制御装置３はウォータポンプ59，84を作動し、貯湯タンク５に接続した冷房用循環回路58内に冷水を循環させ、熱交換器81の出力側の第六循環回路82に熱媒体を循環させる。
【００３８】
これにより、熱交換器81において冷熱を持たされた第六循環回路82が例えば適当な冷熱放出手段である外部熱放出機器として、例えば先に述べた床暖房熱交換器ユニット83と同じユニット83内を通っていれば、当該床暖房熱交換器ユニット83はこのときには珍しくも床冷房熱交換器ユニット83として働き、室内の床を適度、快適に冷やすことができる。もちろん、熱交換器81も冷熱放出手段83も、冷房専用に備えられた機器であって良く、例えば冷熱放出手段83は室内への送風機であっても良い。なお、このとき制御装置３は、水位サーミスタTh16、サーミスタ66，そして第六循環回路に設けられているサーミスタ85，86等の温度情報に基づき、熱交換器81および冷熱放出手段83における熱交換が良好に行なわれるように、ウォータポンプ59，84の作動を制御する。
【００３９】
以上詳記したように、本発明によると、給水温度よりも低い温度での冷水を使用者に提供できるし、その温度も制御可能にし得る他、冷房機能を併せ持たせることもできる。こうした効果を呈する本発明の要旨構成に即しての当業者にとっても種々考えられ、その改変は自由である。
【図面の簡単な説明】
【００４０】
【図１】本発明に係る貯湯式給湯装置の一実施形態の概略構成図である。
【図２】本発明の一実施形態に用いられているヒートポンプ内部の概略構成図である。
【符号の説明】
【００４１】
１  貯湯タンク
２  ヒートポンプユニット
３  制御装置
５  冷水貯蔵タンク
11  導入口
12  給水配管
13  導出口
14  導出管
15  バイパス配管
16  混合弁
17  出湯配管
18  吸入口
19  吐出口
20  第一循環回路
21  コンプレッサ
22  加熱用熱交換器
23  膨張器
24  冷却用熱交換器
32  外気温サーミスタ
41  吸入口
42  吐出口
43  第二循環回路
51  分岐管51
52  吐出口
53  吸出口
54  戻し口
55  第四循環回路（冷水用循環回路）
56  吸入口
57  吐出口57
58  第五循環回路（冷房用循環回路）
61  吐出口
62  混合弁
65  冷出水配管
73  冷水出力口（出湯口）
81  熱交換器
82  第三循環回路（第六循環回路）
83  外部熱放出機器（冷熱放出手段）
【図１】
2005265319.tif 000003
【図２】
2005265319.tif 000004